(57)【要約】      （修正有）【課題】吊り下げ部材で吊り下げられたフィルターを自動で昇降させ、高所に取り付けられたフィルターケーシングの開口面に対し、斜め方向から着脱できるフィルター着脱装置を備えた空気調和機を提供する。【解決手段】フィルター着脱装置を備えた空気調和機であって、フィルター着脱装置は、空調機本体の空気吸込口の前面側に取り付けられたフィルターケーシング６と、フィルター５を２本のベルトを介して昇降可能に吊り下げ、フィルターケーシング６内に収容するベルト巻取機構と、ベルト巻取機構を駆動するモーターと、モーターを遠隔的に駆動させる赤外線リモコンと、フィルターケーシング６内に設けられ、フィルターの昇降動作に連動するフィルター着脱用リンク機構４０とを備え、フィルター着脱用リンク機構４０は、フィルター５を、フィルターケーシング６の開口面に対し、斜め方向と平行な鉛直方向に移動させて着脱させる構成とする。【選択図】図４
2013234814.tif 000002
【特許請求の範囲】
【請求項１】
高所に設置される空調機本体の吸込口の前面側に装着されるフィルターを着脱するフィルター着脱装置を備えた空気調和機であって、
前記フィルター着脱装置は、
空調機本体の吸込口の前面側に固定して取り付けられたフィルターケーシングと、
前記フィルターを２本のベルトを介して昇降可能に吊り下げ、前記フィルターケーシング内に収容するベルト巻取機構と、
前記ベルト巻取機構を駆動するモーターと、
前記モーターを遠隔的に駆動させるリモコンと、
前記フィルターケーシング内に設けられ、前記フィルターの昇降動作に連動するフィルター着脱用リンク機構と、
を備え、
前記フィルター着脱用リンク機構は、前記フィルターを、前記フィルターケーシングの開口面に対し、斜め方向と平行な鉛直方向に移動させて着脱させる構成となっている
ことを特徴とする空気調和機。
【請求項２】
前記フィルターケーシングは、下部に前記フィルターにより補集された補集物の受け皿を有する
ことを特徴とする請求項１記載の空気調和機。
【請求項３】
前記フィルター着脱用リンク機構は、
前記フィルターの上昇時には、該フィルターの上面部で押し上げ、前記フィルターの下降時には、該フィルターの背面上部で押すようにする、上部ローラーを有する上部リンクと、
前記フィルターの上昇時には、該フィルターから後退し、前記フィルターの下降時には、該フィルターの背面下部を押すようにする、押出し板を有する下部リンクと、
前記上部リンク及び前記下部リンクに連結されたメインリンクと、
前記押出し板を押出し方向に付勢するばねと、
を備えた
ことを特徴とする請求項１記載の空気調和機。
【請求項４】
前記リモコンの受信部を前記フィルターケーシングに対し着脱可能とし、手元操作を可能にした
ことを特徴とする請求項１〜３のいずれか一項に記載の空気調和機。
【請求項５】
前記フィルター着脱用リンク機構は、
前記フィルターの上昇時には、該フィルターの上面部で押し上げ、前記フィルターの下降時には、該フィルターの背面上部で押すようにする、押出し板を有する上部リンクと、
前記フィルターの上昇時には、該フィルターから後退し、前記フィルターの下降時には、該フィルターの背面下部を押すようにする、押出し板を有する下部リンクと、
前記上部リンク及び前記下部リンクに連結されたメインリンクと、
前記押出し板を押出し方向に付勢するばねと、
を備えた
ことを特徴とする請求項１記載の空気調和機。
【請求項６】
前記２本のベルトのそれぞれに、ベルトの張力が設定値外になったときには、前記モーターを停止させるベルト張力検知センサーを設けた、
ことを特徴とする請求項１〜５のいずれか一項に記載の空気調和機。
【請求項７】
前記メインリンクと前記フィルターケーシングとの間に、前記フィルターの正常な収納状態を検知するフィルター収納検知センサーを設けた
ことを特徴とする請求項１〜６のいずれか一項に記載の空気調和機。
【発明の詳細な説明】
【技術分野】
【０００１】
本発明は、空調室内の高所に設置された空気調和機に関し、特にその空気調和機の除塵フィルターを、空気調和機本体から着脱するためのフィルター着脱装置を備えた空気調和機に関するものである。
【背景技術】
【０００２】
従来より、例えば工場内等に設置されている天吊型空気調和機にあっては、工場内のスペースの有効利用を図るために、空気調和機本体（以下、空調機本体と称する）を工場の天井近くの高所に設置し、この空調機本体からダクトを下方へ延長して作業者の作業空間に冷風等を導くようにしている。
そして、空調機本体の吸込口には、吸い込まれる空気中の塵埃やオイルミストを除去するためのフィルターが設置されており、特に工場内の空気中には機械加工油が多く浮遊していることから、吸込口に設置したフィルターがオイルミストや塵埃等が付着して汚れ易く、そのためこのフィルターを定期的に洗浄することにしている。
【０００３】
このような高所に設置されたフィルターを着脱可能にする従来の空気調和機としては、例えば、特許文献１に開示されている。これは、一端をフィルターの上面に係止された紐部材を操作することによって、フィルターが昇降されるようになっており、フィルターと空調機本体との間には、フィルターの昇降に伴い、フィルターが所定の装着位置に達した際、フィルターが空調機本体に保持される保持手段を備えている。
また、特許文献２では、モーターなどで紐部材を自動で昇降させる構成を開示している。これは、モーターの回転方向をフィルターの上昇および下降に応じて変え、モーターに連結されたプーリーにおいて紐部材を巻き取りおよび繰り出し、収納部から鉛直方向にフィルターを昇降させるものである。
【先行技術文献】
【特許文献】
【０００４】
【特許文献１】特許第３１３４６２１号公報
【特許文献２】実開平６−３２９２９号公報
【発明の概要】
【発明が解決しようとする課題】
【０００５】
特許文献１に示されるような手動でフィルターを着脱させる構造では、以下の問題があった。
（１）フィルターを昇降させるための紐部材を空調機本体から下方の操作域まで垂らす必要があり、その紐部材が操作者に引っ掛るなど邪魔になる。また、機械工場などに設置した場合は、紐部材にオイルミストが付着し、紐部材のガイドとなるローラーにオイルが溜まり回転不良を起こし、そのためフィルターの昇降動作不良や紐部材の破損に至る恐れがある。
（２）フィルターが所定の収納枠に収まったか否かの判断は、フィルター両側面に取り付けられたガイドピンが、収納枠内のガイドピン規制部に当たったか否かを、紐部材を引っ張る手の感覚に委ねられるため、それ以上に紐部材を引っ張った場合、紐部材の折損やローラーなどの破損に至る可能性がある。
（３）フィルターを下降させる場合は、紐部材を下降させる方向に引くのではなく、一旦上昇させる方向に引き、ガイドピンを収納状態の位置から、収納枠上面部に移動させ、下降可能な状態にする必要があり、困惑な下降操作となる。
【０００６】
特許文献２に示されるような自動でフィルターを着脱させる構造では、フィルターは収納部の鉛直方向にしか昇降できないため、フィルターで集めたオイルなどを受けるオイルドレンパンをフィルター下部に設置することができない。
【０００７】
本発明は、上記のような課題を解決するためになされたもので、第１の目的は、吊り下げ部材で吊り下げられたフィルターを自動で昇降させ、高所に取り付けられたフィルターケーシングの開口面に対し、斜め方向から着脱できるフィルター着脱装置を備えた空気調和機を提供することである。
【０００８】
また、本発明の第２の目的は、フィルターの昇降の際における障害物への接触等による構成部品の損傷やフィルター落下を防止する構造を得ることである。
【課題を解決するための手段】
【０００９】
本発明に係る空気調和機は、高所に設置される空調機本体の吸込口の前面側に装着されるフィルターを着脱するフィルター着脱装置を備えた空気調和機であって、フィルター着脱装置は、空調機本体の吸込口の前面側に固定して取り付けられたフィルターケーシングと、フィルターを２本のベルトを介して昇降可能に吊り下げ、フィルターケーシング内に収容するベルト巻取機構と、ベルト巻取機構を駆動するモーターと、モーターを遠隔的に駆動させるリモコンと、フィルターケーシング内に設けられ、フィルターの昇降動作に連動するフィルター着脱用リンク機構と、を備え、フィルター着脱用リンク機構は、フィルターを、フィルターケーシングの開口面に対し、斜め方向と平行な鉛直方向に移動させて着脱させる構成となっているものである。
【発明の効果】
【００１０】
本発明に係る空気調和機は、２本のベルトで吊り下げられたフィルターを、リモコンにより自動で昇降することができ、しかもその昇降の際には、フィルター着脱用リンク機構により、フィルターをフィルターケーシングの開口面に対し、斜め方向と平行な鉛直方向に移動させて着脱するので、フィルターを昇降させる際に、フィルターケーシングの下部にフィルターが直接当たることを防いでいるため、フィルターケーシングの下部にフィルターで集められたオイルなどの補集物を収容することが可能となる。
【図面の簡単な説明】
【００１１】
【図１】本発明の実施の形態１に係る空気調和機のフィルター着脱装置の正面図である。
【図２】実施の形態１に係る空気調和機の概略構成図である。
【図３】巻取りプーリーの周辺部を一部破断して示す上面図である。
【図４】フィルター着脱用リンク機構の動作を示す説明図である。
【図５】フィルターの吊り下げ状態を示す部分断面図である。
【図６】赤外線リモコンからの指令を受信する受光部を示す下面図である。
【図７】赤外線リモコンの外形図である。
【図８】実施の形態２に係るフィルター着脱用リンク機構の上部リンク部分を示す概略図である。
【図９】ベルト張力検知センサーの詳細図である。
【発明を実施するための形態】
【００１２】
以下、本発明の実施の形態を図面に基づいて説明する。ここでは、本発明を天吊型空気調和機に適用した場合を例にとって説明する。
【００１３】
実施の形態１．
図１は、本発明の実施の形態１に係る空気調和機のフィルター着脱装置の正面図、図２は実施の形態１に係る空気調和機の概略構成図である。
先ず、図２に基づき空気調和機１の構造について説明する。実施の形態１に係る空気調和機１（天吊型空気調和機）は、工場内等に設置されており、工場内のスペースの有効利用を図るために、空調機本体２が天井１００近くの高所に設置されている。この空調機本体２内には、冷凍回路内を循環する冷媒と空気とを熱交換する熱交換器３と、室内空気を吸い込み、熱交換器３により生成された空調空気を送り出す送風ファン４とが設置されている。更に、空調機本体２における空気流通上流側は空気吸込口２ａとされ、空気流通下流側は空気吹出口２ｂとされている。また、熱交換器３の下側には熱交換器３から滴下するドレン水を受け止めるドレンパン３ａが設置されている。そして、空気吸込口２ａの外側にはフィルターケーシング６が固定して取り付けられており、このフィルターケーシング６の内側には、取外し可能なフィルター５が収納可能とされている。これにより、空調機本体２内に吸い込まれる空気中に含まれている塵埃やオイルミストなどがフィルター５によって捕捉、除去されるようになっている。
【００１４】
つまり、この空気調和機１は、フィルター５により浄化されて空気吸込口２ａから吸い込まれた空気を、熱交換器３により温度調節して空調空気とした後、送風ファン４により空気吹出口２ｂから吹き出す構成となっている。
【００１５】
また、空気吹出口２ｂには送風ダクト７が接続されており、この送風ダクト７の下流側には、複数の分岐ダクト７ａ、７ｂ、７ｃが設けられ、これによって作業者の作業スペースに向かって冷風等の空調空気を導くようになっている。
【００１６】
そして、フィルター５は、フィルターケーシング６と工場床面との間を昇降可能としている。
【００１７】
次に、図１を参照して、フィルター５を昇降させる構成について説明する。但し、図１ではフィルター５の図示は省略されている。フィルターケーシング６は、フレームにより方形状に構成されており、フィルター５を収容するフィルター収容部Ａと、フィルター吊下げベルト１１の巻取機構収容部Ｂと、そしてベルト１１の巻取りを駆動するモーター１５と赤外線リモコン２１の指令を受ける受光部３０と制御基板２０を収容する駆動装置収容部Ｃとを備えている。詳しく説明すると、フィルターケーシング６は、空気吸込口２ａの開口上縁に沿った上面部６ａと、開口両側縁に沿った側面部６ｂ、６ｃと、一方の側面部６ｃの外側面に近接して対向配置された外壁部６ｄと、上面部６ａの上側面に近接して対向配置された上面外壁部６ｆとを備えている。そして、上面部６ａと、側面部６ｂ、６ｃ、下面部６ｅとで囲まれた空間がフィルター収容部Ａとされ、上面部６ａと、外壁部６ｄ、上面外壁部６ｆとで囲まれた空間が巻取機構収容部Ｂとなり、側面部６ｃと、外壁部６ｄ、上面外壁部６ｆと、受光部３０とで囲まれた空間が駆動装置収容部Ｃとされている。また、側面部６ｂ、外壁部６ｄ、及び上面外壁部６ｆは空調機本体２の前面形状に合わせた形状、寸法にて構成されている。
【００１８】
フィルター収容部Ａにフィルター５が収容された状態では、フィルター５の上面がフィルターケーシング６の上面外壁部６ｆの下面に対向配置され、フィルター５の左右の側面部がフィルターケーシング６の側面部６ｂ、６ｃの内面にそれぞれ対向配置されるようになっている。フィルターケーシング６の上面部６ａの端部はフィルター５の上面とほぼ同じ高さの位置で配置され、フィルター５で処理される吸込空気が直接、空調機本体２の空気吸込口２ａに吸い込まれないようにバイパス防止が図られている。
【００１９】
巻取機構収容部Ｂの上部の２箇所には、フィルター５の平面に対し直角方向にローラー９が設置されている。詳しくは、フィルター５を昇降させる２本のベルト１１の端部は、図１には示していないベルト固定金具によってフィルター５に固定されている。各ベルト１１を水平方向から鉛直方向にガイドするローラー９は、それぞれＬ型のブラケット１３に回転自在に取り付けられている。
さらに、各ベルト１１の張力を検出するベルト張力検知センサー（例えば、リミットスイッチ）１９ａ、１９ｂが設けられている。このベルト張力検知センサー１９ａ、１９ｂのどちらか一方がベルト１１の張力が設定値以下となる緩みを検出した場合には、マイコンからなる制御基板２０を主体とする制御部が当該ベルト１１の緩みを修正し所定の張力を保つようにベルト１１を巻き取る方向に巻取機構を駆動させる。
【００２０】
フィルターケーシング６の巻取機構収容部Ｂの端部には、ベルト１１の巻取りプーリー１０と、ロータリーダンパー１８及び変速ギア１６を介して巻取りプーリー１０を駆動する例えばステッピングモーターからなるモーター１５とが設置されている。ここで、ロータリーダンパー１８は、ベルト１１に一定以上の張力が掛かった場合、巻取りプーリー１０の巻取り軸１２を空回りさせるクラッチ機能を有するものである。また、変速ギア１６は、モーター１５の回転数を可変にする例えば無段変速のギア機構である。変速ギア１６の出力軸と巻取り軸１２とは、同軸となっており、カップリング１７を介して連結されている。また、巻取り軸１２は、フィルター５の平面と平行に、かつ鉛直方向に回転自在に設けられている。
【００２１】
ロータリーダンパー１８は、フィルター５の上昇時、フィルター５に人がぶら下ったり、障害物に接触した場合、ベルト１１が折損したり昇降機構部が破損したりするのを防止するものである。
【００２２】
また、モーター１５と変速ギア１６は一体に連結され、さらにＬ型ブラケット１４に巻取りプーリー１０とロータリーダンパー１８とを組み立てた組立品とし、その組立品の変速ギア１６の出力軸と巻取り軸１２とをカップリング１７を介して同軸上に連結する構成となっている。また、Ｌ型ブラケット１４の底面は巻取機構収容部Ｂと駆動装置収容部Ｃとを仕切り、駆動装置収容部Ｃにモーター１５と制御基板２０と受光部３０とを設置することで、電気部品をオイルミストから隔離し、オイルミストの電気接点付着などによる誤動作を防止している。なお、制御基板２０を防塵カバーで覆うようにしてもよい。
【００２３】
また、フィルター５は、通過する空気を濾過して塵埃を除去するフィルター本体部と、このフィルター本体部の外周囲に設置された枠体とを備えている。つまり、周囲を枠体で囲まれた枠付きのフィルター５である。
【００２４】
そして、フィルター５は、フィルター吊下げ部材としての２本のベルト１１、１１により水平に吊り下げられ、ベルト巻取機構を構成する巻取りプーリー１０とモーター１５とにより水平に昇降可能となっている。詳しく説明すると、２本のベルト１１、１１は帯状で引張強度を持った布製であり、その一端は、フィルター５の上面（枠体上面）におけるローラー９の下方位置にてそれぞれベルト固定金具（図示せず）で取り付けられている。ベルト１１、１１の他端は、各ローラー９の上側を通り、巻取りプーリー１０の回転軸に取り付けられている。
【００２５】
図３は、巻取りプーリー１０の周辺部を一部破断して示す上面図である。図３に示すように、２本のベルト１１、１１は、ローラー９の上側をローラー９の回転軸に対し垂直方向に通り、ベルト１１、１１の面を水平に並行して通している。ベルト１１、１１の一端は、それぞれローラー９を通り、フィルター５が設置された鉛直下方向に向きを変え、ベルト固定金具（図示せず）によりフィルター上面部に取り付けられている。一方、ベルト１１、１１の他端は、巻取りプーリー１０の回転軸（巻取り軸）１２に固定されている。そして、ベルト１１、１１は、重ね合わせて巻取りプーリー１０に適宜の回数を巻回したうえで、巻取りプーリー１０の外周近傍に設けられた２本のガイドピン２２、２２の外側を通し、更に２本のガイドピン２３、２３の間を通すことで、フィルター５の表面部と平行になるよう向きを変え、重ね合わせた状態から分かれて、前述のようにそれぞれのローラー９、９の外側を通るようにしている。なお、ガイドピン２２、２２および２３、２３は中空のパイプ形状を成し、それらの回転軸はフィルター表面部と平行に設置されており、コの字型のブラケット２４に回転自在に取り付けられている。
【００２６】
フィルター５に固定された２本のベルト１１、１１は、フィルター５を昇降させる際、１つの巻取りプーリー１０に重なりながら巻取りまたは繰り出される。片方のベルト１１が緩んだ場合でも、他方のベルト１１が緩んだベルト１１の外周から重なり、締め込みながら巻取りプーリー１０に巻き取られる。
【００２７】
各ベルト１１は、天井近くに設置された空調機本体２から、設置空間の床面近くまでフィルター５を下降させる必要があり、２．５ｍ程度の長さを有する。この長尺のベルト１１を、限られた大きさのフィルターケーシング６内の巻取りプーリー１０に巻取り収めるために、ベルト１１は、比較的軽量なフィルター５を吊り上げるための強度を有するよう、必要最低限の薄さとしている。重量物を昇降させる厚手のものと違い、実際には１．５ｍｍ程度の厚さのベルト１１としている。
【００２８】
工場床面近傍の操作域から赤外線リモコン２１により、上昇または下降の指令を送信し、その指令を受光部（受信部）３０が受信すると、制御基板２０に供給された交流電源を直流電源に変換し、指令に応じたパルス信号をモーター１５に出力する。これに伴い、巻取りプーリー１０の回転によって２本のベルト１１、１１が重なりながら巻取りプーリー１０に巻取られ、または、繰り出され、フィルター５が上昇または下降する。
【００２９】
次に、フィルター５をフィルターケーシング６に対し着脱させるための構成について、図１、図４、図５を参照して説明する。
図４は、フィルター着脱用リンク機構４０の動作を示す説明図である。図５は、フィルター５の吊り下げ状態を示す部分断面図で、ローラー９を巻取りプーリー側から見た断面図である。
【００３０】
図５に示すように、ベルト１１は、フィルターケーシング６の前面部に設けられた上下２本の回転自在なガイドピン２５、２５の間を通し、そのベルト端部を、Ｌ型の固定金具（ベルト固定金具）２６とフィルター５上面との間に挟み込み、ねじ２７により固定されている。その際、ベルト１１のフィルター支持部１１ａがフィルター厚中央よりフィルター背面の上角部（図５のフィルター５の右上角部）に近い位置になるように固定される。このようにフィルター５とベルト１１とを固定することにより、フィルター５はフィルターケーシング６の前面に平行に昇降する。
【００３１】
フィルター５は、２本のベルト１１、１１により水平に吊り下げられた状態で、フィルターケーシング６のフィルター収容部Ａに収容されている。そして、フィルター５の昇降動作に連動するフィルター着脱用リンク機構４０がフィルターケーシング６内に設けられている。フィルター着脱用リンク機構４０は、図１に示すように、フィルターケーシング６の中央部に設けられている。
さらに、このフィルター着脱用リンク機構４０の構成を図４により詳しく説明する。
【００３２】
フィルター着脱用リンク機構４０は、例えばゴムローラーのごとき軟質材料からなる上部ローラー４１を有する上部リンク４２と、押出し板４３を有する下部リンク４４と、上部リンク４２及び下部リンク４４に連結されたメインリンク４５とを備えている。上部リンク４２は、先端部に上部ローラー４１を有し、基端部がフィルターケーシング６に枢支されており、中間部がメインリンク４５に枢着されている。下部リンク４４は、先端部に押出し板４３を有し、基端部がメインリンク４５に枢着され、中間部が後述するフィルター支持台５０の背面にて枢支されている。また、下部リンク４４の基端枢着部とフィルターケーシング６との間には、押出し板４３を引き起こす方向に付勢するばね４６（例えば、引っ張りばね）が装着されている。このばね４６の力は、ベルト１１を巻き取るモーター１５のトルクより小さいものである。さらに、フィルター５が所定の位置に収納されたことを検知するフィルター収納検知センサー４７（例えば、マグネットスイッチ）がメインリンク４５の上端部と対向する位置のフィルターケーシング６に設けられている。
【００３３】
フィルター支持台５０は、フィルター５の下面部５ｂを支持する水平な支持台部５０ａと、支持台部５０ａの後端部に設けられたストッパー部５０ｂと、支持台部５０ａの先端部に設けられた傾斜面をもつガイド部５０ｃとを有する。また、フィルター支持台５０の中央部には、下部リンク４４の押出し板４３が出入りできる切欠き部５０ｄが設けられている。
【００３４】
図６は、赤外線リモコン２１からの指令を受信する受光部３０を示す下面図である。赤外線リモコン２１からの指令を受信する受光部３０は、フィルターケーシング６の下面部６ｅ、すなわち図１に示すように駆動装置収容部Ｃの下面部６ｅに設置されている。受光部３０には、フィルター５を上昇または下降させるスイッチがそれぞれ配置されており、表面ラベルには「上げる」３０ａ及び「下げる」３０ｂの文字が印刷されている。なお、図６において、３２は制御基板２０と接続する配線ケーブルである。
【００３５】
図７は、赤外線リモコン２１の外形図である。赤外線リモコン２１は、受光部３０に対し、フィルター５の上昇、停止、または下降の指令を送信する、「上げる」ボタン２１ａ、「止める」ボタン２１ｂ、「下げる」ボタン２１ｃを備えている。
【００３６】
次に、フィルター５のフィルターケーシング６への取付け及びフィルターケーシング６からの取外しについて、主に図４を参照して説明する。
図４の（ａ）から（ｃ）は、フィルター５のフィルターケーシング６への取付けを示し、（ｄ）、（ｅ）は、フィルター５のフィルターケーシング６からの取外しについて示すものである。
【００３７】
＜フィルター５の取付け＞
まず、洗浄が終わったフィルター５の取付けについて説明する。
赤外線リモコン２１によりフィルター５を上昇させる指令を受光部３０に送信すると、汚れの洗浄が終わったフィルター５は２本のベルト１１により水平に吊り下げられて上昇する。フィルター５の上昇に従い、フィルター着脱用リンク機構４０が連動してフィルター５を、フィルターケーシング６の開口面に対し、平行な鉛直方向から斜め方向に移動させて、フィルターケーシング６内の所定位置に収納するようになっている。すなわち、上部リンク４２先端部に設けられた上部ローラー４１がフィルター５の上面部５ａで押し上げられる。その一方、下部リンク４４先端部に設けられた押出し板４３はばね４６の力に抗して前屈みに起立しながら後退していくので、フィルター５の下面部５ｂがフィルター支持台５０の傾斜面を有するガイド部５０ｃに誘導されて、水平な支持台部５０ａに載置される。このようにフィルター５の上昇時には、フィルター５は、フィルターケーシング６の開口面に対し、平行な鉛直方向から斜め上方向へ移動しながら収納される。また、フィルター５の背面下端部がストッパー部５０ｂに当たることで、フィルター５の収納位置決めがなされる。したがって、洗浄後のフィルター５は、図４（ｃ）に示すように、フィルター支持台５０上に垂直の状態で載置され、フィルターケーシング６内の所定位置に収納した状態となる。
【００３８】
上記のフィルター５の収納に際しては、フィルター収納検知センサー４７がフィルター５が収納されたことを検知し、検知後数秒経過してから、モーター１５への通電を停止させるように制御している。このように、フィルター収納検知センサー４７の信号に基づく制御によって、フィルター５が所定位置に正規の垂直状態で収納されたことがわかる。
したがって、フィルター５の収納状態を容易かつ正確に認識することができる。
【００３９】
なお、収納状態にあるフィルター５は、常時ばね４６の力により下方へ力が掛かり、ベルト１１を巻取りプーリー１０から繰り出す方向に作用し、停止中のモーター１５を回転させようとするが、変速ギア１６が回転しないギア比となっているため、モーター１５の回転は阻止されている。
【００４０】
また、図１、図４（ｃ）に示すように、フィルターケーシング６の下部には樋状のドレンパンのごとき受け皿６０が設けられているので、フィルター５から流れ落ちるオイルや塵埃などの補集物を受け皿６０で受け止めることができ、排出口６１から排出管（図示せず）を経て適切な場所に排出することができる。
【００４１】
＜フィルター５の取外し＞
次に、フィルター５の洗浄のために、フィルター５をフィルターケーシング６から取外す動作について説明する。
【００４２】
赤外線リモコン２１の下降指令によって、ベルト１１は巻取りプーリー１０より繰り出される。この際、フィルター５の下降に従い、フィルター着脱用リンク機構４０が連動してフィルター５をフィルターケーシング６の開口面に対し、斜め方向と平行な鉛直方向へ移動させることで、離脱する動作を行う。すなわち、ばね４６の力により、上部リンク４２の上部ローラー４１がフィルター５の背面上部を押すとともに、下部リンク４４の押出し板４３もフィルター５の背面下部を押す。これにより、フィルター５は、図４（ｃ）の収納状態から、フィルターケーシング６の前面側へ押し出される。これにより、フィルター５をフィルターケーシング６から取外すことができる。そして、ベルト１１の繰り出し量の長さ分、フィルター５は下降する。さらに、２本のベルト１１で吊り下げられたフィルター５を床面近くまで降ろし、フィルター５の洗浄を行う。洗浄後は、前述したとおり、フィルター５を上昇させてフィルターケーシング６内に収納する。
【００４３】
ベルト１１の長さは、前述のとおり、２．５ｍ程度の長さを有しているが、空気調和機１の設置する高さに応じ、モーター１５の回転時間を可変にし、ベルト１１の繰り出し量を切り替えるためのスイッチ（図示せず）を制御基板２０上に設けている。
【００４４】
また、前記ローラー９と巻取りプーリー１０との間を走る２本のベルト１１の下方にベルト張力検知センサー１９ａ、１９ｂが配設されている。図９は、ベルト張力検知センサー１９ａ、１９ｂの詳細図である。ベルト張力検知センサー１９ａ、１９ｂとして、リミットスイッチ１９ｃを用いており、中央に支点軸２８ａを有する支え板２８の一方の端部に、ベルト１１の張力を受ける回転自在なローラー９を配し、支え板の他方の端部にばね２９（ここでは、引っ張りばね）を配している。この構成によれば、ベルト１１が定常な張力がある場合はリミットスイッチ１９ｃがＯＮし、張力が弱くなるとリミットスイッチ１９ｃがＯＦＦとなる。
上記のようなベルト張力検知センサー１９ａ、１９ｂが配設されているので、フィルター５が設定高さまで下降しきる前に、障害物に接触したり、あるいは人が故意にフィルター５を持ち上げた場合の緩みをベルト張力検知センサー１９ａ、１９ｂのどちらか一方が検知すると、ベルト１１の繰り出しを停止し、反対に一定の高さまでフィルター５を上昇させて停止し、ベルト１１の張力を復帰させる。
したがって、フィルター５の昇降の際における障害物への接触等による構成部品の損傷を防止することができる。
【００４５】
以上のように、この実施の形態１によれば、赤外線リモコン２１を使用して、高所に設置された空気調和機１のフィルター５を自動で上昇または下降させることができ、フィルター５をフィルターケーシング６の開口面に対し斜め方向と平行な鉛直方向に移動させて着脱することができるので、フィルター５がフィルターケーシング６の下部に直接当たることを防止している。そのため、フィルターケーシング６の下部に、フィルター５で集められたオイルなどの補集物を収容することが可能となる。また、フィルター５の正常な取付け状態（収納状態）をフィルター収納検知センサー４７により確認できるので、フィルター５の上昇操作を簡単かつ確実に行うことができる。
【００４６】
実施の形態２．
図８は、実施の形態２に係るフィルター着脱用リンク機構４０の上部リンク４２部分を示す概略図である。なお、図８の（ａ）〜（ｃ）は、図４の（ａ）〜（ｃ）の上方部分に対応している。実施の形態２に係る空気調和機１の基本構造は、実施の形態１と同様である。
実施の形態２では、ゴムローラーのごとき上部ローラー４１に代えて、上部リンク４２そのものをＬ型形状の押出し板４２ａを先端部に備えたリンク形状に構成したものである。
この押出し板４２ａは、フィルター５の上昇または下降の際、基本的には、前述した上部ローラー４１とほぼ同様に作用するものである。すなわち、フィルター５の上昇の際は、フィルター５の上面部で押出し板４２ａを押し上げ、押出し板４２ａはフィルター５の上面部から背面部にかけて滑動する。フィルター５の下降の際は、押出し板４２ａがフィルター５の背面上部を押し、背面部から上面部にかけて滑動する。その他のフィルター着脱装置の構成および作用は実施の形態１と同様である。
【００４７】
実施の形態２によれば、上部リンク４２を、押出し板４２ａを有するＬ型の一体部材で形成できるので、実施の形態１に比べて部品点数が少なくなりコスト低減が可能となる。
【００４８】
実施の形態３．
実施の形態３に係る空気調和機１の基本構造も、実施の形態１と同様である。
実施の形態３では、受光部３０が汚れた場合を考慮した対策を講じたものである。すなわち、空気調和機１が機械工場などに設置されている場合、オイルミスト環境で受光部３０が汚れ、赤外線リモコン２１の通信ができない場合が考えられる。そのような場合、受光部３０は、フィルターケーシング６の下面にネジで着脱可能に固定されていれば、汚れた受光部３０を取り外し、受光部３０の汚れを除去したのち、当該工場床面の操作域付近に配設し、制御基板２０と配線ケーブルで接続すれば、手動操作が可能となる。
また、無線に限らず、有線で配線した遠隔操作盤等を工場の壁面などに設置したものでもよい。
したがって、本発明における「リモコン」は、無線、有線を問わず、空気調和機１の空調空間内において、遠隔操作でベルト巻取り機構のモーター１５を駆動できる機器であればよい。
【符号の説明】
【００４９】
１  空気調和機、２  空調機本体、２ａ  空気吸込口、２ｂ  空気吹出口、３  熱交換器、３ａ  ドレンパン、４  送風ファン、５  フィルター、５ａ  上面部、５ｂ  下面部、５ｃ  背面部、６  フィルターケーシング、６ａ  上面部、６ｂ、６ｃ  側面部、６ｄ  外壁部、６ｅ  下面部、６ｆ  上面外壁部、７  送風ダクト、７ａ〜７ｃ  分岐ダクト、９  ローラー、１０  巻取りプーリー、１１  ベルト、１１ａ  フィルター支持部、１２  巻取り軸、１３  ブラケット、１４  Ｌ型ブラケット、１５  モーター、１６  変速ギア、１７  カップリング、１８  ロータリーダンパー、１９ａ、１９ｂ  ベルト張力検知センサー、１９ｃ  リミットスイッチ、２０  制御基板、２１  赤外線リモコン、２２、２３  ガイドピン、２４  ブラケット、２５  ガイドピン、２６  ベルト固定金具、２７  ねじ、２８  支え板、２８ａ  支点軸、２９  ばね、３０  受光部、３２  配線ケーブル、４０  フィルター着脱用リンク機構、４１  上部ローラー、４２  上部リンク、４２ａ  押出し板、４３  押出し板、４４  下部リンク、４５  メインリンク、４６  ばね、４７  フィルター収納検知センサー、５０  フィルター支持台、５０ａ  支持台部、５０ｂ  ストッパー部、５０ｃ  ガイド部、５０ｄ  切欠き部、６０  受け皿、６１  排出口、１００  天井、Ａ  フィルター収容部、Ｂ  巻取機構収容部、Ｃ  駆動装置収容部。
【図１】
2013234814.tif 000003
【図２】
2013234814.tif 000004
【図３】
2013234814.tif 000005
【図４】
2013234814.tif 000006
【図５】
2013234814.tif 000007
【図６】
2013234814.tif 000008
【図７】
2013234814.tif 000009
【図８】
2013234814.tif 000010
【図９】
2013234814.tif 000011